【手続補正書】
【提出日】平成16年1月15日(2004.1.15)
【手続補正１】
【補正対象書類名】明細書
【補正対象項目名】特許請求の範囲
【補正方法】変更
【補正の内容】
【特許請求の範囲】
【請求項１】
第一のメッセージを第一の送受信デバイスから第二の送受信デバイスに伝送し、前記第一のメッセージが無線リンクプロトコル（ＲＬＰ）の第一の少なくとも一つのパラメータを規定する情報を含むステップと、
前記第一のメッセージを前記第二の送受信デバイスで受け取るステップと、
前記第一のメッセージの受け取りに応じて、前記ＲＬＰの第一の少なくとも一つのパラメータを前記第二の送受信デバイスに蓄積するステップと、
前記第一のメッセージの受け取りに応じて、前記第二の送受信デバイスからの第二のメッセージを前記第一の送受信デバイスに伝送し、前記第二のメッセージがＲＬＰの第二の少なくとも一つのパラメータを規定する情報を含むステップと、
前記第二のメッセージを前記第一の送受信デバイスで受け取るステップと、
前記第二のメッセージの受け取りに応じて、前記ＲＬＰの第二の少なくとも一つのパラメータを前記第一の送受信デバイスに蓄積するステップと、
第一の複数のＲＬＰデータフレームを前記第一の送受信デバイスから伝送するステップと、
前記ＲＬＰの第一の少なくとも一つのパラメータにしたがって、前記第一の複数のＲＬＰデータフレームの少なくともひとつを前記第二の送受信デバイスで受け取るステップと、
第二の複数のＲＬＰデータフレームを前記第二の送受信デバイスから伝送するステップと、
前記ＲＬＰの第二の少なくとも一つのパラメータにしたがって、前記第二の複数のＲＬＰデータフレームの少なくともひとつを前記第一の送受信デバイスで受け取るステップとから成る少なくとも一つの可変パラメータを有する無線リンクプロトコル（ＲＬＰ）を使用して前記第一の送受信デバイスと前記第二の送受信デバイスの間で通信する方法。
【請求項２】
前記ＲＬＰの第一の少なくとも一つのパラメータが第一のシーケンス数サイズから成り、前記第一のシーケンス数サイズが前記第一の複数のＲＬＰデータフレームの各々に含まれるシーケンス数フィールドの長さを規定し、そして前記ＲＬＰの第二の少なくとも一つのパラメータが前記第二の複数のＲＬＰデータフレームの各々に含まれるシーケンス数フィールドの長さを規定する第二のシーケンス数サイズから成ることを特徴とする請求項１に記載の方法。
【請求項３】
前記第一および第二のメッセージが第一および第二のＩＳ−９９類似ＲＬＰ制御フレームから成り、そして前記第一および第二の複数のＲＬＰデータフレームがＩＳ−９９類似ＲＬＰデータフレームから成ることを特徴とする請求項２に記載の方法。
【請求項４】
さらに前記ＲＬＰの第一の少なくとも一つのパラメータが第一の再伝送要求値から成り、前記第一の再伝送要求値が前記第二の送受信デバイスで受け取られなかった前記第一の送受信デバイスから伝送されたＲＬＰデータフレームに対して前記第二の送受信デバイスから与えられる再伝送要求の最大数を規定し、そしてさらに前記ＲＬＰの第二の少なくとも一つのパラメータが第二の再伝送要求値から成り、前記第二の再伝送要求値が前記第一の送受信デバイスで受け取られなかった前記第二の送受信デバイスから伝送されたＲＬＰデータフレームに対して前記第一の送受信デバイスから与えられる再伝送要求の最大数を規定することを特徴とする請求項２に記載の方法。
【請求項５】
前記第一の複数のＲＬＰデータフレームのうち少なくとも一つを受け取る前記ステップが、
前記第一の複数のＲＬＰデータフレームのうち少なくとも一つのデータフレームを前記第二の送受信デバイスで受け取るステップと、
前記第一の複数のＲＬＰデータフレームのうち少なくとも一つの受け取られなかったＲＬＰデータフレームを検出するステップと、
前記第一の再伝送値より少ない再伝送要求が前記第一の複数のＲＬＰデータフレームのうち前記少なくとも一つの受け取られなかったＲＬＰデータフレームに対して伝送された場合に決定するステップと、
前記決定するステップの正決定に応じて、第一の再伝送要求を前記第二の送受信デバイスから前記第一の送受信デバイスへ伝送するステップとから成り、
そして、前記第二の複数のＲＬＰデータフレームのうち少なくとも一つを受け取る前記ステップが、
前記第二の複数のＲＬＰデータフレームのうち少なくとも一つのデータフレームを前記第一の送受信デバイスで受け取るステップと、
前記第二の複数のＲＬＰデータフレームのうち少なくとも一つの受け取られなかったＲＬＰデータフレームを検出するステップと、
前記第二の再伝送値より少ない再伝送要求が前記第二の複数のＲＬＰデータフレームのうち前記少なくとも一つの受け取られなかったＲＬＰデータフレームに対して伝送された場合に決定するステップと、
前記決定するステップの正決定に応じて、第二の再伝送要求を前記第一の送受信デバイスから前記第二の送受信デバイスへ伝送するステップから成ることを特徴とする請求項４に記載の方法。
【請求項６】
前記第一および第二のメッセージがＩＳ−９９類似ＲＬＰ制御フレームから成り、そして前記第一および第二の複数のＲＬＰデータフレームがＩＳ−９９類似データＲＬＰフレームから成ることを特徴とする請求項５に記載の方法。
【請求項７】
前記ＲＬＰの第一の少なくとも一つのパラメータが第一の再伝送要求値から成り、前記第一の再伝送要求値が前記第二の送受信デバイスで受け取られなかった前記第一の送受信デバイスから伝送されたＲＬＰデータフレームに対して前記第二の送受信デバイスから与えられる再伝送要求の最大数を規定し、そして前記ＲＬＰの第二の少なくとも一つのパラメータが第二の再伝送要求値から成り、前記第二の再伝送要求値が前記第一の送受信デバイスで受け取られなかった前記第二の送受信デバイスから伝送されたＲＬＰデータフレームに対して前記第一の送受信デバイスから与えられる再伝送要求の最大数を規定することを特徴とする請求項１に記載の方法。
【請求項８】
前記第一の複数のＲＬＰデータフレームのうち少なくとも一つを受け取る前記ステップが、
前記第一の複数のＲＬＰデータフレームのうち少なくとも一つのデータフレームを前記第二の送受信デバイスで受け取るステップと、
前記第一の複数のＲＬＰデータフレームのうち少なくとも一つの受け取られなかったＲＬＰデータフレームを検出するステップと、
前記第一の再伝送値より少ない再伝送要求が前記第一の複数のＲＬＰデータフレームのうち前記少なくとも一つの受け取られなかったＲＬＰデータフレームに対して伝送された場合に決定するステップと、
前記決定するステップの正決定に応じて、第一の再伝送要求を前記第二の送受信デバイスから前記第一の送受信デバイスへ伝送するステップとから成り、
そして、前記第二の複数のＲＬＰデータフレームのうち少なくとも一つを受け取る前記ステップが、
前記第二の複数のＲＬＰデータフレームのうち少なくとも一つのデータフレームを前記第一の送受信デバイスで受け取るステップと、
前記第二の複数のＲＬＰデータフレームのうち少なくとも一つの受け取られなかったＲＬＰデータフレームを検出するステップと、
前記第二の再伝送値より少ない再伝送要求が前記第二の複数のＲＬＰデータフレームのうち前記少なくとも一つの受け取られなかったＲＬＰデータフレームに対して伝送された場合に決定するステップと、
前記決定するステップの正決定に応じて、第二の再伝送要求を前記第一の送受信デバイスから前記第二の送受信デバイスへ伝送するステップとから成ることを特徴とする請求項７に記載の方法。
【請求項９】
前記第一および第二のメッセージが夫々ＩＳ−９９類似ＲＬＰ制御フレームから成り、そして前記第一および第二の複数のＲＬＰデータフレームがＩＳ−９９類似データＲＬＰフレームから成ることを特徴とする請求項８に記載の方法。
【請求項１０】
メッセージを基地局から受け取り、前記メッセージが前記無線リンクプロトコル（ＲＬＰ）のうち少なくとも一つのパラメータを規定する情報を含み、さらに前記メッセージの受け取りに続いて前記ＲＬＰフレームのシーケンスのうち少なくとも一つを受け取る受信器と、
メモリーデバイスと、
前記受信器と前記メモリーデバイスとに結合され、前記情報を前記受信器から受け取って前記情報を前記メモリーデバイスに蓄積し、そして前記蓄積情報にしたがって前記ＲＬＰフレームのシーケンスのうち前記少なくとも一つを処理する制御器から成り、データが無線リンクプロトコル（ＲＬＰ）にしたがって無線リンクプロトコル（ＲＬＰ）フレームのシーケンスで基地局から伝送される、基地局を備える無線通信システムにおいて動作する移動端末。
【請求項１１】
前記情報が前記基地局から伝送される前記ＲＬＰフレームのシーケンスの各々に含まれるシーケンス数フィールドのサイズを規定するサイズ値を含み、そして前記制御器が前記サイズ値にしたがって前記ＲＬＰフレームのシーケンスのうち前記少なくとも一つのシーケンス数フィールドを処理することを特徴とする請求項１０に記載の移動端末。
【請求項１２】
前記移動端末がさらに送信器を含み、前記蓄積情報が前記ＲＬＰフレームのシーケンスのうち受け取られなかったＲＬＰフレームの再伝送を要求して前記移動端末から前記基地局へ伝送される再伝送要求の最大数を規定する数値を含み、そして前記制御器が前記ＲＬＰフレームのシーケンスのうち前記少なくとも一つを前記ＲＬＰフレームのシーケンスのうち少なくとも一つの受け取られなかったＲＬＰフレームを決定することによって処理し、前記数値より少ない再伝送要求が前記少なくとも一つの受け取られなかったＲＬＰフレームに対して伝送されたかどうかを決定し、そして伝送された再伝送要求が前記数値より少ない場合に、再伝送要求を含んで第二のメッセージの前記送信器から前記基地局への伝送を開始することを特徴とする請求項１０に記載の移動端末。
【請求項１３】
ＲＬＰによる前記ＲＬＰフレームのシーケンスが第一のＲＬＰによる第一のＲＬＰフレームのシーケンスから成り、前記メッセージが第一のメッセージから成り、そしてデータが前記移動端末から前記基地局へ第二のＲＬＰによる第二のＲＬＰフレームのシーケンスで伝送され、そしてさらに前記移動端末が前記第二のＲＬＰフレームのシーケンスを伝送する送信器から成り、そしてさらに前記第一の情報の受け取りに応じて前記制御器が第二のメッセージを整形し、前記第二のメッセージが前記第二のＲＬＰのうち少なくとも一つのパラメータを規定する情報を含み、そして前記第二のメッセージの前記送信器から前記基地局への伝送を開始することを特徴とする請求項１０に記載の移動端末。
【請求項１４】
前記第一および第二のメッセージがＲＬＰ制御フレームから成り、そして前記第一および第二のＲＬＰフレームのシーケンスがＲＬＰデータフレームから成ることを特徴とする請求項１３に記載の移動端末。
【請求項１５】
前記第一のＲＬＰのうち少なくとも一つのパラメータを規定する前記情報が前記第一のＲＬＰフレームの各々に含まれるシーケンス数フィールドのサイズを規定する第一のサイズ値および前記第一のＲＬＰフレームのシーケンスのうち受け取られないＲＬＰフレームの再伝送を要求するために前記移動端末から前記基地局へ伝送する伝送要求の最大数を規定する第一の数値から成り、そして前記第二のＲＬＰのうち少なくとも一つのパラメータを規定する前記情報が前記第二のＲＬＰフレームの各々に含まれるシーケンス数フィールドのサイズを規定する第二のサイズ値および前記第二のＲＬＰフレームのシーケンスのうち受け取られないＲＬＰフレームの再伝送を要求するために前記基地局から前記移動端末へ伝送する伝送要求の最大数を規定する第二の数値から成ることを特徴とする請求項１３に記載の移動端末。
【請求項１６】
前記第一および第二のメッセージがＲＬＰ制御フレームから成り、そして前記第一および第二のＲＬＰフレームのシーケンスがＲＬＰデータフレームから成ることを特徴とする請求項１５に記載の移動端末。
【請求項１７】
データを伝送する前に、通信制御情報を移動端末と基地局との間で交換し、制御情報が可変長データフレームシーケンス数の長さを規定する第一のフィールド、第一のフィールドの長さを規定する第二のフィールド、およびデータフレーム再伝送の最大数を規定する第三のフィールドから成るステップと、
交換情報を移動端末と基地局の両方に蓄積するステップと、
続いてデータフレームを蓄積情報にもとづいて伝送するステップとから成り、無線通信システムにおいてデータを移動端末と基地局の間で交信する方法。
【請求項１８】
無線通信システムをDS-CDMA システムとして実施する請求項１７に記載の方法。
【請求項１９】
少なくとも一つの可変パラメータを有する伝送プロトコルを使用して、第一送受信デバイスと第二送受信デバイスとの間で通信する方法であって、
前記第一送受信デバイスから前記第二送受信デバイスに第一制御情報を伝送し、前記第一制御情報は再伝送要求の最大数を規定し、前記再伝送要求が、前記第一送受信デバイスから伝送され前記第二送受信デバイスでは受信されないデータフレームに対して前記第二送受信デバイスから与えられる段階と、
前記第二送受信デバイスから前記第一送受信デバイスに第二制御情報を伝送し、前記第二制御情報は再伝送要求の最大数を規定し、前記再伝送要求が、前記第二送受信デバイスから伝送され前記第一送受信デバイスでは受信されないデータフレームに対して前記第一送受信デバイスから与えられる段階と、
前記第二送受信デバイスに前記第一制御情報を格納し、前記第一送受信デバイスに前記第二制御情報を格納する段階と、
前記第一送受信デバイスから前記第二送受信デバイスに第一の複数のデータフレームを伝送する段階と、
前記第一の複数のデータフレームのうち少なくとも一つの受信されたデータフレームを前記第二送受信デバイスで受信する段階と、
前記第一の複数のデータフレームのうち少なくとも一つの受信されていないデータフレームを前記第二送受信デバイスで検出する段階と、
前記第一の再伝送値より少ない再伝送要求が、前記第一の複数のデータフレームのうち前記少なくとも一つの受信されていないデータフレームに対して伝送されたかどうかを確認する段階と、
前記確認する段階の肯定的確認に応じて、第一の再伝送要求を前記第二送受信デバイスから前記第一送受信デバイスへ伝送する段階と、から成ることを特徴とする方法。
【請求項２０】
請求項１９に記載の方法において、
前記第一制御情報がさらに、前記第一の少なくとも一つのデータフレームにおいて、第一の少なくとも一つの可変長非データフィールドの長さを規定する情報を含み、
前記第二制御情報がさらに、前記第二の少なくとも一つのデータフレームにおいて、第二の少なくとも一つの可変長非データフィールドの長さを表示する情報を含むことを特徴とする方法。
【請求項２１】
少なくとも一つの可変パラメータを有する伝送プロトコルを使用して、第一送受信デバイスと第二送受信デバイスとの間で通信する装置であって、
前記第一送受信デバイスから前記第二送受信デバイスに第一制御情報を伝送し、前記第一制御情報は再伝送要求の最大数を規定し、前記再伝送要求が、前記第一送受信デバイスから伝送され前記第二送受信デバイスでは受信されないデータフレームに対して前記第二送受信デバイスから与えられる手段と、
前記第二送受信デバイスから前記第一送受信デバイスに第二制御情報を伝送し、前記第二制御情報は再伝送要求の最大数を規定し、前記再伝送要求が、前記第二送受信デバイスから伝送され前記第一送受信デバイスでは受信されないデータフレームに対して前記第一送受信デバイスから与えられる手段と、
前記第二送受信デバイスに前記第一制御情報を格納し、前記第一送受信デバイスに前記第二制御情報を格納する手段と、
前記第一送受信デバイスから前記第二送受信デバイスに第一の複数のデータフレームを伝送する手段と、
前記第一の複数のデータフレームのうち少なくとも一つの受信されたデータフレームを前記第二送受信デバイスで受信する手段と、
前記第一の複数のデータフレームのうち少なくとも一つの受信されていないデータフレームを前記第二送受信デバイスで検出する手段と、
前記第一の再伝送値より少ない再伝送要求が、前記第一の複数のデータフレームのうち前記少なくとも一つの受信されていないデータフレームに対して伝送されたかどうかを確認する手段と、
前記確認する手段の肯定的確認に応じて、第一の再伝送要求を前記第二送受信デバイスから前記第一送受信デバイスへ伝送する手段と、から成ることを特徴とする装置。
【請求項２２】
請求項２１に記載の装置において、
前記情報は、さらに、前記第一送受信デバイスから、前記少なくとも一つの受信されていないデータフレームの再伝送を要求する前記第二送受信デバイスへ伝送される再伝送要求の最大数を規定する再伝送要求値を含み、
前記装置は、さらに、前記少なくとも一つのデータフレームのうち少なくとも一つの受信されていないデータフレームを確認する手段と、
前記再伝送要求値より少ない再伝送要求が前記少なくとも一つの受信されていないデータフレームに対して伝送されたかどうかを確認する手段と、
前記再伝送要求値より少ない再伝送要求が伝送された場合に、前記送信器から前記第二送受信デバイスへの再伝送要求の伝達を開始する手段と、を含むことを特徴とする装置。
【請求項２３】
基地局を有する無線通信システムにおいて動作する移動局であって、データは伝送フレームの前記基地局から伝送され、前記移動局は、
前記基地局からメッセージを受信し、前記メッセージは伝送フレームのシーケンスから欠落した伝送フレームに対して前記移動局から伝送される再伝送要求の最大数を表示し、さらに前記伝送フレームのシーケンスを受信する受信器と、
メモリデバイスと、
前記受信機と前記メモリデバイスとに結合され、前記情報を前記受信器から受信して前記メモリデバイスに格納し、前記情報に従って再伝送要求を処理および開始する制御器と、を備えることを特徴とする移動局。
【請求項２４】
請求項２３に記載の移動局において、
伝送フレームのシーケンスから欠落した前記伝送フレームが誤った伝送フレームを含み、前記誤った伝送フレームが受信されることを特徴とする移動局。
【請求項２５】
請求項２３に記載の移動局において、
前記伝送フレームのシーケンスが伝送フレームの第一のシーケンスを備え、
前記メッセージは第一のメッセージを備え、
データは伝送フレームの第二のシーケンスにおいて前記移動局から前記基地局へ伝送され、
前記移動局はさらに、前記伝送フレームの第二のシーケンスを伝送するための送信機を備え、
前記制御器は第二のメッセージを発生し、
前記第二のメッセージは、伝送フレームのシーケンスから欠落した伝送フレームに対して前記基地局から伝送される再伝送要求の最大数を表示する情報を含み、前記伝送フレームの第二のシーケンスの伝送に先立って、前記送信器から前記基地局への前記第二のメッセージの伝送を開始することを特徴とする移動局。
【請求項２６】
基地局を有する無線通信システムから移動局によって受信されたデータの処理方法であって、前記データは伝送フレームの前記基地局から伝送され、前記方法は、
前記基地局からメッセージを受信し、前記メッセージは伝送フレームのシーケンスから欠落した伝送フレームに対して前記移動局から伝送される再伝送要求の最大数を表示する情報を含む段階と、
前記伝送フレームのシーケンスを受信し、続いて前記メッセージを受信する段階と、
前記メモリデバイスに前記情報を格納する段階と、
前記情報に従って再伝送要求を処理および開始する段階と、を備えることを特徴とする方法。
【請求項２７】
請求項２６に記載の方法において、
伝送フレームのシーケンスから欠落している前記伝送フレームが誤った伝送フレームを含み、前記誤った伝送フレームが受信されることを特徴とする方法。
【請求項２８】
請求項２６に記載の方法において、
前記伝送フレームのシーケンスは伝送フレームの第一のシーケンスを含み、
前記メッセージは第一のメッセージを含み、
前記方法はさらに、
伝送フレームの第二のシーケンスにおいて前記移動局から前記基地局へデータを伝送する段階と、
第二のメッセージを発生させ、前記第二のメッセージは伝送フレームのシーケンスから欠落している伝送フレームに対して前記基地局から伝送される再伝送要求の最大数を表示する情報を含む段階と、
前記伝送フレームの第二のシーケンスに先立って、前記移動局から前記基地局への前記第二のメッセージの伝送を開始する段階と、を備えることを特徴とする方法。
【請求項２９】
移動局を有する無線通信システムにおいて動作する基地局であって、データは伝送フレームの前記移動局から伝送され、前記基地局は、
前記移動局からのメッセージを受信し、前記メッセージは伝送フレームのシーケンスから欠落している伝送フレームに対して前記基地局から伝送される再伝送要求の最大数を表示する情報を含み、さらに、伝送フレームの前記シーケンスを受信し、続いて前記メッセージを受信する受信器と、
メモリデバイスと、
前記受信器と前記メモリデバイスとに結合し、前記情報を前記受信器から受信して前記メモリデバイスに格納し、前記情報に従って再伝送要求を処理および開始することを特徴とする基地局。
【請求項３０】
請求項２９に記載の基地局において、
伝送フレームのシーケンスから欠落した前記伝送フレームが誤った伝送フレームを含み、前記誤った伝送フレームが受信されることを特徴とする基地局。
【請求項３１】
請求項２９に記載の基地局において、
前記伝送フレームのシーケンスは伝送フレームの第一のシーケンスを含み、
前記メッセージは第一のメッセージを含み、
データは前記伝送フレームの第二のシーケンスにおいて前記基地局から前記移動局へ伝送され、
前記基地局はさらに、前記伝送フレームの第二のシーケンスを伝送するための送信機を備え、
前記制御器は第二のメッセージを発生させ、
前記第二のメッセージは、伝送フレームのシーケンスから欠落している伝送フレームに対して前記移動局から伝送される再伝送要求の最大数を表示し、前記伝送フレームの第二のシーケンスの伝送に先立って前記送信器から前記移動局へ前記第二のメッセージの伝送を開始することを特徴とする基地局。
【請求項３２】
移動局を有する無線通信システムにおいて動作する基地局によって受信されたデータの処理方法であって、データは伝送フレームの前記移動局から伝送され、前記方法は、
前記移動局からメッセージを受信し、前記メッセージは、伝送フレームのシーケンスから欠落している伝送フレームに対して前記基地局から伝送される再伝送要求の最大数を表示する段階と、
前記伝送フレームのシーケンスを受信し、続いて前記メッセージを受信する段階と、
前記情報を格納する段階と、
前記情報に従って再伝送要求を処理および開始する段階と、を備えることを特徴とする方法。
【請求項３３】
請求項３２に記載の方法において、
伝送フレームのシーケンスから欠落している前記伝送フレームが誤った伝送フレームを含み、前記誤った伝送フレームが受信されることを特徴とする方法。
【請求項３４】
請求項３２に記載の方法において、
前記伝送フレームのシーケンスは伝送フレームの第一のシーケンスを含み、
前記メッセージは第一のメッセージを含み、
また、前記方法は、
伝送フレームの第二のシーケンスにおいて前記基地局から前記移動局へデータを伝送する段階と、
第二のメッセージを発生させ、前記第二のメッセージは、伝送フレームのシーケンスから欠落している伝送フレームに対して前記移動局から伝送される再伝送要求の最大数を表示する情報を含む段階と、
前記伝送フレームの第二のシーケンスに先立って前記基地局から前記移動局へ前記第二のメッセージの伝送を開始する段階と、を備えることを特徴とする方法。